(57)【特許請求の範囲】
【請求項１】
ノズルと当該ノズルから垂下する筒体部を有して内側に形成した内部通路にメッシュを介在させたノズルヘッドと、ノズルヘッドの筒体部に固定される固定部と当該固定部に繋がる筒体部とを有して内側に形成した内部通路にメッシュを介在させたメッシュホルダと、メッシュホルダの筒体部の外周面に軸線周りに回転可能に保持される外筒部とメッシュホルダの筒体部の内側に回転可能に保持されると共に内側に容器内のパイプに通じさせる内部通路を形成する内筒部とを有するパイプコネクタを備え、
メッシュホルダの筒体部の内周面と、パイプコネクタの内筒部の外周面をそれぞれ、軸線周りに摺動可能な摺動面で構成すると共に、
メッシュホルダの筒体部の内周面に、当該メッシュホルダの内部通路を外界に通じさせる開口部をパイプコネクタの内筒部の上端に形成する複数の溝部を形成し、
パイプコネクタの内筒部に、当該内筒部の上端に形成された開口部を、メッシュホルダ又はパイプコネクタの軸線周りの回転に応じて開閉する少なくとも１つの遮蔽突起を設けたことを特徴とする泡注出器。
【請求項２】
請求項１において、パイプコネクタの外筒部に、貫通孔を形成したことを特徴とする泡注出器。
【請求項３】
請求項１又は２において、遮蔽突起を複数箇所に配置し、当該遮蔽突起の軸線方向の幅を異ならせたことを特徴とする泡注出器。
【請求項４】
請求項１乃至３のいずれか１項において、ノズルヘッドに、メッシュホルダを取り囲むと共に容器の口部を密封する外殻部を設け、
当該外殻部に貫通孔を形成すると共に、当該貫通孔からの外気の導入のみを許容する逆止弁を設けたことを特徴とする泡注出器。
【発明の詳細な説明】
【技術分野】
【０００１】
本発明は、液体と空気との混合物を２つのメッシュを通すことで、泡状の内容物として注出させることができる泡注出器に関するものである。
【背景技術】
【０００２】
従来の泡注出器としては、例えば、容器本体の口部に装着された栓本体と、この栓本体に固定されると共に網又は不織布が設けられた発泡装置とを有し、その相互間に、同じく網又は不織布が設けられた補助筒を介在させたものがある（例えば、特許文献１参照）。
【先行技術文献】
【特許文献】
【０００３】
【特許文献１】実公昭６３−１３８１０号公報
【発明の概要】
【発明が解決しようとする課題】
【０００４】
こうした泡注出器は、空気と内容液との混合比率を定めることで、使用者の使い方に因らずに、同一の泡質が得られるように調整されている。これに対し、本願発明者は、注出される内容物の泡質は、空気の流入量に応じて変化することを見出した。
【０００５】
しかしながら、従来の泡注出器は、外気を導入するための開口部を自由に変更できない。このため、使用者の要求や用途に応じて、泡質を変更するには、注出器そのものを個別に設計変更する必要等がある。
【０００６】
本発明の目的とするところは、注出器そのものを設計変更することなく、目的に応じた泡質での注出を簡便に行うことができる、新規な泡注出器を提供することにある。
【課題を解決するための手段】
【０００７】
本発明は、ノズルと当該ノズルから垂下する筒体部を有して内側に形成した内部通路にメッシュを介在させたノズルヘッドと、ノズルヘッドの筒体部に固定される固定部と当該固定部に繋がる筒体部とを有して内側に形成した内部通路にメッシュを介在させたメッシュホルダと、メッシュホルダの筒体部の外周面に軸線周りに回転可能に保持される外筒部とメッシュホルダの筒体部の内側に回転可能に保持されると共に内側に容器内のパイプに通じさせる内部通路を形成する内筒部とを有するパイプホルダを備え、
メッシュホルダの筒体部の内周面と、パイプコネクタの内筒部の外周面をそれぞれ、軸線周りに摺動可能な摺動面で構成すると共に、
メッシュホルダの筒体部の内周面に、当該メッシュホルダの内部通路を外界に通じさせる開口部をパイプコネクタの内筒部の上端に形成する複数の溝部を形成し、
パイプコネクタの内筒部に、当該内筒部の上端に形成された開口部を、メッシュホルダ又はパイプコネクタの軸線周りの回転に応じて開閉する少なくとも１つの遮蔽突起を設けたことを特徴とするものである。
【０００８】
本発明によれば、パイプコネクタの外筒部に、貫通孔を形成することが好ましい。また、本発明によれば、遮蔽突起を複数箇所に配置し、当該遮蔽突起の軸線方向の幅を異ならせることができる。
【０００９】
また、本発明では、ノズルヘッドに、メッシュホルダを取り囲むと共に容器の口部を密封する外殻部を設け、当該外殻部に貫通孔を形成すると共に、当該貫通孔からの外気の導入のみを許容する逆止弁を設けることができる。
【発明の効果】
【００１０】
本発明では、ノズルヘッド又はパイプコネクタを、軸線周りに時計回り又は反時計回りに回転させることで、パイプコネクタに設けた遮蔽突起がメッシュホルダの内部通路を外界に通じさせる開口部を開閉できることから、注出器そのものを設計変更することなく、空気の流入量を自由に変更することができる。
【００１１】
従って、本発明によれば、注出器そのものを設計変更することなく、目的に応じた泡質での注出を簡便に行うことができる、新規な泡注出器を提供できる。
【図面の簡単な説明】
【００１２】
【図１】本発明の一形態である、泡注出器を容器本体に装着して、空気の流入量を最小にした状態を示す断面図である。
【図２】同泡注出器を、同泡注出器に係るメッシュホルダのみ図１のＸ−Ｘ断面で示した要部斜視図である。
【図３】図２の分解斜視図である。
【図４】同泡注出器を容器本体に装着して、空気の流入量を最大にした状態を示す断面図である。
【図５】同泡注出器に係る、外気導入路と遮蔽突起であって、(a)は、空気の流入量を最小にした状態を模式的に示す断面図、(b)は、空気の流入量を最大にした状態を模式的に示す断面図である。
【図６】同泡注出器に係る、外気導入路と遮蔽突起との他の形態であって、(a)は、空気の流入量を最小にした状態を模式的に示す断面図、(b)は、空気の流入量を中量にした状態を模式的に示す断面図、(c)は、空気の流入量を最大にした状態を模式的に示す断面図である。
【図７】同泡注出器に係る、外気導入路と遮蔽突起との、更に他の形態であって、(a)は、空気の流入量を最小にした状態を模式的に示す断面図、(b)は、空気の流入量を中量にした状態を模式的に示す断面図、(c)は、空気の流入量を最大にした状態を模式的に示す断面図である。
【発明を実施するための形態】
【００１３】
以下、図面を参照して、本発明の一形態である、泡注出器を詳細に説明する。
【００１４】
符号１は、合成樹脂製の泡注出器である。泡注出器１は、容器本体３０の口部３１に装着される。容器本体３０は、合成樹脂製のブロー成形ボトルであって、肩部３２を介して口部３１に繋がり、変形及び復元の可能な胴部３３を有する。容器本体３０の内側には、口部３１を通して外界に通じる内容液の充填空間Ｓが形成されている。
【００１５】
符号２は、容器本体３０に装着されるノズルヘッドである。ノズルヘッド２は、軸線Ｏに対して横向きに延在するノズル２ａと、このノズル２ａから軸線Ｏに沿って一体に垂下する筒体部２ｂとを有し、その内側には、ノズル２ａの先端に形成した開口部Ａaと、筒体部２ｂの末端に形成した開口部Ａbとを通じさせる内部通路２１が形成されている。
【００１６】
内部通路２１は、ノズル２ａの内側を通る通路２１ａと、この通路２１ａに通じて筒体部２ｂの内側に形成された通路２１ｂからなる。通路２１ｂには、軸線Ｏ周りを周回する環状リブ２ｒ1が設けられている。
【００１７】
符号５は、ノズルヘッド２に固定されるメッシュリングである。メッシュリング５は、合成樹脂製の筒体５ａの端面に、メッシュ５ｂを固定した既存のものである。メッシュリング５は、その筒体５ａを環状リブ２ｒ1に引っ掛けることで通路２１ｂ内に嵌合保持される。
【００１８】
符号６は、ノズルヘッド２に固定される合成樹脂製のメッシュホルダである。メッシュホルダ６は、ノズルヘッド２の筒体部（以下、「ノズルヘッド筒体部」）２ｂに固定される固定部６ａと、この固定部６ａに繋がる筒体部６ｂとを一体に有する。
【００１９】
メッシュホルダ６の内側には、固定部６ａの末端に形成した開口部Ａcと、筒体部６ｂの末端に形成した開口部Ａdとを通じさせる内部通路２２が形成されている。内部通路２２は、開口部Ａcを通してノズルヘッド筒体部２ｂを嵌合保持するノズルヘッド嵌合部２２ａ、このノズルヘッド嵌合部２２ａよりも小径のメッシュリング嵌合部２２ｂと、更にこのメッシュリング嵌合部２２ｂよりも小径のパイプコネクタ嵌合部２２ｃ、パイプコネクタ７との間に隙間を形成し内容液及び空気が圧送される上流側に向かうに従って拡径する拡径部２２ｄと、この拡径部２２ｄを外界に通じさせる開放部２２ｅで構成されている。
【００２０】
ノズルヘッド嵌合部２２ａは、軸線Ｏ周りを周回する環状リブ６ｒ2及び６ｒ3を有し、これら環状リブ６ｒ2及び６ｒ3がノズルヘッド筒体部２ｂに設けた環状リブ２ｒ2及び２ｒ3に引っ掛かって、ノズルヘッド筒体部２ｂに嵌合保持される。これにより、メッシュホルダ６は、その内部通路２２が内部通路２１に通じるようにノズルヘッド２に固定される。
【００２１】
また、メッシュホルダ６は、そのメッシュリング嵌合部２２ｂにて、ノズルヘッド２側と同様、その内側でメッシュリング５を嵌合保持する。これにより、ノズルヘッド２とメッシュホルダ６の内側には、２つのメッシュリング５が間隔を置いて配置された内部通路２１及び２２が形成される。
【００２２】
符号７は、合成樹脂製のパイプコネクタである。パイプコネクタ７は、メッシュホルダ６の筒体部（以下、「メッシュホルダ筒体部」）６ｂを取り囲む外筒部７ａと、メッシュホルダ筒体部６ｂと連通する内筒部７ｂとを一体に有する。
【００２３】
パイプコネクタ７の外筒部（以下、「パイプコネクタ外筒部」）７ａは、その内周面に、軸線Ｏ周りを周回する環状溝７ｇが形成されている。環状溝７ｇには、メッシュホルダ筒体部６ｂの外周面に設けた環状リブ６ｒ4が軸線Ｏ周りに摺動可能に嵌合する。なお、本形態では、パイプコネクタ外筒部７ａは、メッシュホルダ６に設けられたフランジ部６ｃによって、その差し込み量が制限されている。
【００２４】
これに対し、パイプコネクタ７の内筒部（以下、「パイプコネクタ内筒部」）７ｂは、上述のように、メッシュホルダ筒体部６ｂの内側に形成したパイプコネクタ嵌合部２２ｃに嵌合保持される。このため、パイプコネクタ内筒部７ｂの外周面７ｆと、メッシュホルダ筒体部６ｂの内周面２２ｆとはそれぞれ、平滑な面としてなり、軸線Ｏ周りに摺動可能な摺動面として構成されている。これにより、パイプコネクタ内筒部７ｂは、パイプコネクタ嵌合部２２ｃの内周面２２ｆと、パイプコネクタ内筒部７ｂの外周面７ｆとの間での密封性を確保しつつ、メッシュホルダ６に対して軸線Ｏ周りに摺動させることができる。
【００２５】
更に、パイプコネクタ内筒部７ｂの内側には、メッシュホルダ６の内部通路２２に通じる開口部Ａeと、パイプＰを挿入するための開口部Ａfとを通じさせる内部通路２３が形成されている。これにより、メッシュリング５には、充填空間ＳからパイプＰの通路２４を通って圧送される内溶液を通過させることができる。なお、内部通路２３には、軸線Ｏ周りに間隔を置いて複数の縦リブ７ｒ1が設けられている。これにより、リブ７ｒ1は、開口部Ａfから挿入されたパイプＰの挿入を規制する。
【００２６】
一方、メッシュホルダ６は、図２及び図３に示すように、その筒体部６ｂの内周面２２ｆに、軸線Ｏ周りに間隔を置いて、当該軸線Ｏに沿って延在する４つの溝部６ｇが形成されている。溝部６ｇは、図３に示すように、その一方が拡径部２２ｄを縦断して開放部２２ｅに通じるように延在し、その他方は、図２に示すように、パイプコネクタ内筒部７ｂの上端７ｅよりも下流に、当該上端７ｅから露出する開口部Ａgを形成するように延在する。これにより、溝部６ｇは、パイプコネクタ内筒部７ｂの外周面７ｆとの間に、メッシュホルダ内部通路２２ｃを外界に通じさせる４つの外気導入路２５を形成する。
【００２７】
外気導入路２５は、メッシュホルダ筒体部６ｂとパイプコネクタ外筒部７ａとの間に形成した隙間を通して充填空間Ｓに通じさせることも可能であるが、本形態では、パイプコネクタ外筒部７ａに形成した貫通孔２６を通して充填空間Ｓに通じさせる。これにより、メッシュリング５には、パイプＰの通路２４を通って圧送される内溶液と充填空間Ｓの外気（空気）との混合物を通過させることができる。
【００２８】
これに対し、パイプコネクタ内筒部７ｂには、その上端７ｅから突出する２つの遮蔽突起７ｐが一体に設けられている。遮蔽突起７ｐは、その外周面が外周面７ｆに沿って延在するシール面７ｓを構成する。シール面７ｓは、上端７ｅから露出する開口部Ａgに合さることで当該開口部Ａgを密閉する。これにより、開口部Ａgは、メッシュホルダ６又はパイプコネクタ７を軸線Ｏ周りに時計回り又は反時計回りに回転させることで開閉することができる。
【００２９】
また、ノズルヘッド２には、図１に示すように、メッシュホルダ６を取り囲むように外殻部２ｃが一体に設けられている。外殻部２ｃは、外筒部２ｃ(1)を有し、口部３１に形成されたねじ部３４に螺合するねじ部２ｄが設けられている。これにより、ノズルヘッド２は、軸線Ｏ周りに時計回り又は反時計回りに回転させることで、口部３１に着脱可能に装着することができる。
【００３０】
加えて、外殻部２ｃは、外筒部２ｃ(1)に取り囲まれた内筒部２ｃ(2)を有する。内筒部２ｃ(2)は、口部３１の内周面３１ｆに嵌合する。これにより、外殻部２ｃは、口部３１を密封する。
【００３１】
更に、外殻部２ｃには、口部３１を通して充填空間Ｓを外界に通じさせる貫通孔２７が形成されている。符号８は、貫通孔２７からの外気の導入のみを許容する逆止弁である。
【００３２】
逆止弁８は、合成樹脂からなり、メッシュホルダ６に嵌合保持される装着筒８ａと、この装着筒８ａの周りに全周に亘って設けられた環状壁８ｂとが一体に設けられている。
【００３３】
環状壁８ｂは、外殻部２ｃに向かうに従って上方（下流側）に向かって拡径する傾斜壁であって、内筒部２ｃ(2)の内周面２ｆ(2)に対して変形及び復元が可能に接触している。これにより、逆止弁８は、貫通孔２７と充填空間Ｓとの間を仕切ると共に、貫通孔２７からの外気の導入のみを許容することができ、容器本体３０の胴部３３の押し潰しと復帰との繰り返しにより、パイプＰを通して内容液を圧送しても、容器本体３０が潰れることがない。
【００３４】
なお、逆止弁８は、本形態のように、外殻部２ｃとメッシュホルダ固定部６ａとの間に掛け渡されるものに限定されることなく、例えば、外殻部２ｃに直接設けられた、貫通孔２７を開閉する弾性舌片で構成することも可能である。
【００３５】
本形態では、図５(a),(b)に示すように、泡注出器１を容器本体３０から取り外した状態で、ノズルヘッド２又はパイプコネクタ７を軸線Ｏ周りに時計回り又は反時計回りに回転させることで、パイプコネクタ７に設けた遮蔽突起７ｐがメッシュホルダ６の内部通路２２を外界に通じさせる開口部Ａgを開閉できることから、注出器そのものを設計変更することなく、空気の流入量を自由に変更することができる。
【００３６】
従って、本形態によれば、注出器そのものを設計変更することなく、目的に応じた泡質での注出を簡便に行うことができる。なお、本発明によれば、メッシュ５ｂ間距離の調整は、製品出荷前の組み付け時、又は、使用者によって行うことができる。
【００３７】
また、本形態のように、パイプコネクタ外筒部７ａに、貫通孔２６を形成し、外気導入路２５から開口部Ａgを通して空気を導入すれば、空気をより確実に確保しつつ、目的に応じた泡質での注出を簡便に行うことができる。
【００３８】
ところで、本形態では、図５に示すように、外気導入路２５を軸線Ｏ周りに９０度の間隔で配置すると共に、遮蔽突起７ｐを軸線Ｏ周りに４５度の間隔で配置することで、図５(a)に示すように、２つの外気導入路２５を閉じた状態から、ノズルヘッド２又はパイプコネクタ７を軸線Ｏ周りに時計回り又は反時計回りに４５度回転させることで、図５(b)に示すように、４つの外気導入路２５を全て開くことができる。
【００３９】
また、本発明に従えば、例えば、図６に示すように、６つの外気導入路２５を軸線Ｏ周りに６０度の間隔で配置すると共に、遮蔽突起７ｐを軸線Ｏ周りに４箇所に配置することもできる。本形態では、軸線Ｏを挟んで対向する遮蔽突起７ｐを１組とし、各組の遮蔽突起７ｐの軸線Ｏ方向の幅を異ならせている。この場合、図６(a)に示すように、２つの外気導入路２５を開いた状態から、ノズルヘッド２又はパイプコネクタ７を軸線Ｏ周りに時計回り又は反時計回りに２０度回転させることで、図６(b)に示すように、４つの外気導入路２５を開くことができ、更に２０度（図６(a)の状態から４０度）回転させることで、図６(c)に示すように、６つの外気導入路２５を全て開くことができる。
【００４０】
同様に、図７に示すように、８つの外気導入路２５を軸線Ｏ周りに４５度の間隔で配置すると共に、遮蔽突起７ｐを軸線Ｏ周りに６箇所に配置することもできる。本形態では、軸線Ｏを挟んで対向する遮蔽突起７ｐを３組とし、１組の遮蔽突起７ｐだけ、他の組の遮蔽突起７ｐの軸線Ｏ方向の幅と異ならせている。この場合、図７(a)に示すように、２つの外気導入路２５を開いた状態から、ノズルヘッド２又はパイプコネクタ７を軸線Ｏ周りに時計回り又は反時計回りに１５度回転させることで、図７(b)に示すように、４つの外気導入路２５を開くことができ、更に３０度（図７(a)の状態から４０度）回転させることで、図７(c)に示すように、８つの外気導入路２５を全て開くことができる。
【００４１】
このように、遮蔽突起７ｐを複数箇所に配置し、当該遮蔽突起７ｐの軸線Ｏ方向の幅を異ならせれば、空気の流入量の微調整が可能になることで、目的に応じた泡質での注出を更に簡便に行うことができる。
【００４２】
また、本形態のように、ノズルヘッド２に、メッシュホルダ７を取り囲むと共に口部３１を密封する外殻部２ｃを設け、この外殻部２ｃに、貫通孔２７を形成すると共に、この貫通孔２７からの外気の導入のみを許容する逆止弁８を設ければ、充填空間Ｓ内への外気（空気）の導入を確保しつつ、容器本体３０による確実な内容液の圧送を可能とすることで、より目的に応じた泡質での注出を簡便に行うことができる。
【００４３】
上述したところは、本発明の一形態を示したにすぎず、特許請求の範囲において、種々の変更を加えることができる。例えば、逆止弁８は、パイプＰは、パイプコネクタ７と一体に設けることができる。本形態では、いわゆるスクイズ容器に直接装着される泡生成注出器として説明したが、本発明に従う泡生成注出器は、容器の口部に固定されたシリンダポンプのノズルヘッドに適用することができる。
【産業上の利用可能性】
【００４４】
本発明は、内容液と空気との混合物を２つのメッシュを通してノズルから泡状に注出する泡注出器であれば、様々なものに適用することができる。また、内容液の種類についても、限定されない。
【符号の説明】
【００４５】
１      泡注出器
２      ノズルヘッド
２ａ    ノズル
２ｂ    ノズルヘッド筒体部
２ｃ    外殻部
２ｒ1   環状リブ
２ｒ2   環状リブ
２ｒ3   環状リブ
５      メッシュリング
５ａ    筒体
５ｂ    メッシュ
６      メッシュホルダ
６ａ    固定部
６ｂ    メッシュホルダ筒体部
６ｃ    フランジ部
６ｇ    溝部
６ｒ2   環状リブ
６ｒ3   環状リブ
６ｒ4   環状リブ
７      パイプコネクタ
７ａ    パイプコネクタ外筒部
７ｂ    パイプコネクタ内筒部
７ｅ    パイプコネクタ内筒部上端
７ｇ    環状溝
７ｐ    遮蔽突起
７ｓ    シール面
７ｒ1   縦リブ
８      逆止弁
２１    内部通路
２２    内部通路
２２ａ  ノズルヘッド嵌合部
２２ｂ  メッシュリング嵌合部
２２ｃ  パイプコネクタ嵌合部
２２ｄ  拡径部
２２ｅ  開放部
２３    内部通路
２４    パイプ通路
２５    外気導入路
２６    貫通孔
２７    貫通孔
３０    容器本体
３１    口部
３２    肩部
３３    胴部
Ａg     開口部
【図１】
0005616292.tif 000002
【図２】
0005616292.tif 000003
【図３】
0005616292.tif 000004
【図４】
0005616292.tif 000005
【図５】
0005616292.tif 000006
【図６】
0005616292.tif 000007
【図７】
0005616292.tif 000008